(57)【要約】【課題】一回当たりのブラッシングで少なくとも３回連続的にテンションを与えることで比較的短い時間でスタイリングを可能にすること。【解決手段】ドライヤーを使用して髪を調えるスタイリングを行う場合に使用するブローブラシ１である。ブローブラシ１は、ブラッシング用のブラシ毛５を有する植毛部２０と、この植毛部２０と一体に形成された把持部４０とを有する。そして、植毛部２０の横断面を多角形状、例えば正三角形とした。【選択図】図１
2007029424.tif 000002
【特許請求の範囲】
【請求項１】
ブラッシング用のブラシ毛を有する植毛部と、この植毛部と一体に形成された把持部とを有するブローブラシであって、
前記植毛部の横断面形状が多角形であることを特徴とするブローブラシ。
【請求項２】
前記多角形は、正多角形であることを特徴とする請求項１に記載のブローブラシ。    
【請求項３】
前記多角形は、その内角がみな二直角より小さい凸多角形、及びそうでない凹多角形であることを特徴とする請求項１に記載のブローブラシ。
【請求項４】
前記多角形は、内角のうち、隣接する少なくとも３つの角の大きさが等角な凸角であることを特徴とする請求項２に記載のブローブラシ。
【発明の詳細な説明】
【技術分野】
【０００１】
本発明はブローブラシに関する。
【背景技術】
【０００２】
ドライヤーを使用して髪を調えるスタイリングを行う場合、一回あたりのブラッシング実行時に髪にはできるだけ長い間テンションを与えた状態でブローすることが好ましい。
【０００３】
これは髪にテンションを与えた方がいろんな髪型にセットし易いからである。そして、ドライヤーからの熱風が髪に当たる時間が長いほど髪の傷みを伴うが、ブラッシング一回につき髪に掛かるテンションの時間が短いと、髪にテンションを与えるために髪にブラシを掛け直す回数が多くなる。このときドライヤーの電源を切れば問題ないが、何度も電源を切ったり付けたりするのは作業性の低下を招くため、電源は付いたままの状態となり、細切れではあっても不必要にドライヤーからの熱風が髪に当たる時間が総じて長くなるからである。
【０００４】
ブローブラシとして周知の半回転ブラシがあるが（特許文献１参照）、半回転ブラシの植毛範囲は、植毛部を横断面で見た場合の１２０°〜１８０°の範囲であり、理容師や美容師は、各種セットを行う場合、その範囲に植毛されたブラシ毛に髪を巻き付ける。
【０００５】
ところで、当該植毛範囲ではブラシ毛に髪を巻き付けられた髪の引っ掛かりが緩んでテンションが弱まってしまった場合、半回転ブラシに再度髪を巻き付ける必要が生じるが、巻き付けが頻繁に行われるのでは作業効率が悪い。
そこで、植毛部の全周にブラシ毛を植毛した全回転ブラシというブローブラシが提案されている（特許文献２，特許文献３参照）。
【０００６】
全回転ブラシは、その横断面が円形又は楕円形であり、全回転ブラシに髪を巻き付けた場合の髪の巻き付け量が半回転ブラシよりも多くなるので、髪を梳いた時に半回転ブラシよりもテンションの掛り具合いがよく、またテンションの持続性も高い。
【０００７】
しかしこれまでよりもさらにテンションの持続性を高め、これにより作業性を良くしてブローの時間を短縮することで、髪に与えるダメージを少しでも減少させるのに好適なブローブラシが求められている。
【特許文献１】実開平７−３９５６９号公報
【特許文献２】公表特許公報２００５−５０２４１２号公報
【特許文献３】公開特許公報２００２−１１２８３５号公報
【発明の開示】
【発明が解決しようとする課題】
【０００８】
本発明はこのような実情に鑑みてなされたものであり、その解決しようとする課題は、これまでよりも一回当たりのブラッシングを行うのに、髪に掛けるテンションの持続性を高めることができるブローブラシを提供することにある。
【課題を解決するための手段】
【０００９】
そこで本発明は、上記課題を解決するために以下の手段を採用した。
【００１０】
すなわち、本発明のブローブラシは、ブラッシング用のブラシ毛を有する植毛部と、この植毛部と一体に形成された把持部とを有するブローブラシであって、前記植毛部の横断
面形状が多角形であることを特徴とする。
【００１１】
ここで多角形とは、三つ以上の線分で囲まれた平面図形であり、内角がみな二直角（１８０°）より小さい多角形を凸多角形といい、そうでないものを凹多角形という。
【００１２】
凸多角形としては、三角形、四角形、五角形、六角形又は八角形その他の正多角形を挙げられる。凹多角形としては、内角の少なくとも一つが二直角よりも大きなものであればその形状にはこだわらないが、内角のうち、隣接する少なくとも３つの角の大きさが等角な凸角であることが好ましい。
【００１３】
本発明のブローブラシによれば、植毛部の凸角をした頂点で髪を噛むことができるので、ブラシの髪への当たりが確実になり、特に頂点近傍のブラシ毛と髪との絡みが確実になる。このためブラシと髪との間の滑りが少なくなる。
【００１４】
これはタイヤにタイヤチェーンを巻き付けると、タイヤが角数の多い円に近い多角形となり、よって地面との摩擦力が増大し、滑りを起こし難くなることと似ている。
【００１５】
また、多角形の隣りあっている二辺が多角形の内部につくる角（内角）のうち隣接する角が少なくとも３つ連続して凸角を有するから、ブラッシング実行時、テンションが緩んだ場合には、ブラシの一回の回転につき少なくとも３回は凸角の頂点で髪を噛むことができる。よって、髪へのテンションが弱まっても少なくとも３回は連続的に髪にテンションを掛けることができる。
【００１６】
さらに、隣接する角の大きさが等角であれば髪への当たりも均等となって心地好い。
【発明の効果】
【００１７】
本発明によれば、植毛部の凸角をした頂点で髪を噛むことができるので、ブラシの髪への当たりが確実になり、特に頂点近傍のブラシ毛と髪との絡みが確実になる。このためブラシと髪との間の滑りが少なくなるので、髪に持続的にテンションをかけることができる。
【発明を実施するための最良の形態】
【００１８】
以下、図面を参照して本発明に係るブローブラシの好適な実施形態を説明する。
【００１９】
ブローブラシ１は、例えば合成樹脂や木材でできたものであり、植毛部２０と、この植毛部２０と一体に形成されかつ同軸の把持部４０とを有する。植毛部２０の横断面形状は、多角形状（この実施形態では正三角形）である。なお、横断面で見た頂点を符号Ａ，Ｂ，Ｃで示す。
【００２０】
植毛部２０は、その各面（以後、植毛面）２２にブラシ毛５が植毛されている。
【００２１】
次にこのようなブローブラシ１を用いて、ドライヤー２６からの温風を髪２８に加えながら各種セットを行なう手順を図２〜図６を参照して述べる。なお、図中の符号Ｓは手順（ステップ）の意である。
【００２２】
Ｓ１：理容師や美容師は、図１に示すように、一方の手にドライヤー２６を持つと共に他方の手にブローブラシ１を持つ。そして、ドライヤー２６の熱風を髪２８にあてながらブローブラシ１を毛元から毛先に向けて移動して髪２８を梳く。この時、ブローブラシ１の例えば頂点Ａを頭皮に当ててからブラシを幾分回転（図では反時計回り）させて髪５を頂点Ａ近辺のブラシ毛５に巻き付けた状態にして、毛先に向けてスライドする。その間、
髪２８にはテンションが掛かる（図２及び図５の各Ｓ１参照）。なお図２〜４においてブロー領域とあるのは、ドライヤー２６の熱風が当てられる範囲である。
【００２３】
Ｓ２：ブローブラシ１をスライドしている間に髪２８にテンションが掛かっていればそのままＳ３に進むが、髪２８が緩んだ場合はＳ５に進む（図２のＳ３，図５のＳ２，Ｓ３参照）。
【００２４】
Ｓ３：ブローブラシ１の回転角度をそのまま維持しながらさらにスライドする（図２のＳ３，図５のＳ３参照）。
【００２５】
Ｓ４：髪２８のテンションをそのまま維持した状態で毛先めがけてスライドする（図２のＳ４，図５のＳ４参照）。
【００２６】
Ｓ５：ブローブラシ１を頂点Ｂまで回転させて、頂点Ｂ近辺のブラシ毛５に髪２８を巻き付ける（図３のＳ１，Ｓ５，図５のＳ５参照）。
【００２７】
Ｓ６：そのままブローブラシ１の回転角度を維持しながらスライドする（図５のＳ６参照）。
【００２８】
Ｓ７：ブローブラシ１をスライドしている間に髪２８にテンションが掛かっていればそのままＳ８に進むが、髪２８が緩んだ場合はＳ９に進む（図３のＳ５，Ｓ８，図５のＳ７，Ｓ９参照）。
【００２９】
Ｓ８：ブローブラシ１の回転角度をそのまま維持した状態で毛先めがけてスライドする（図３のＳ８，図５のＳ８参照）。
【００３０】
Ｓ９：ブローブラシ１を頂点Ｃまで回転させて、頂点Ｃ近辺のブラシ毛５に髪２８を巻き付ける（図４のＳ５，Ｓ９，図５のＳ９参照）。
【００３１】
Ｓ１０：そのままブローブラシ１の回転角度を維持しながらスライドする（図４，図５のＳ１０参照）。
【００３２】
Ｓ１１：ブローブラシ１をスライドしている間に髪にテンションが掛かっていればそのままＳ１２に進むが、髪が緩んだ場合はＳ１に進む（図４のＳ１１，図２のＳ１，図５のＳ１２参照）。
【００３３】
Ｓ１２：ブローブラシ１の回転角度をそのまま維持した状態で毛先めがけてスライドする（図４のＳ１２，図５のＳ１２参照）。
【００３４】
次にブローブラシ１の作用効果について述べる。
ブローブラシ１の頂点Ａ，Ｂ，Ｃで髪２８を噛むことができるので、ブローブラシ１の髪２８への当たりが確実になり、特に頂点近傍のブラシ毛５と髪２８との絡みが確実になる。このためブローブラシ１と髪２８との間の滑りが少なくなり、髪２８に確実にテンションをかけられ、かつ髪２８にテンションが掛かった状態を持続できる。この結果、比較的短い時間でスタイリングが可能である。よって、ドライヤ２６からの熱風により髪を傷めることを効果的に防止できる。
【００３５】
さらに、植毛部２０の横断面が正三角形であり内角が６０°の凸角であるから、ブラッシング実行時、テンションが緩んだ場合には、ブローブラシ１の一回の回転につき３回、頂点Ａ，Ｂ，Ｃで髪２８を噛むことができる。したがって、ブローブラシ１の一回の回転
につき３回、連続的に髪２８にテンションを掛けられる。この結果、ドライヤの電源が付いたままでも、よってドライヤーからの熱風が髪に当たる時間が総じて長くなる。
【００３６】
そして、内角はすべて６０°で等しい角度であるから、ブローブラシ１を回転した時の髪２８への頂点Ａ，Ｂ，Ｃの当たりが均等となって、心地好いスタイリングができる。
【００３７】
なお、本発明は上述の図示例にのみ限定されるものではなく、本発明の要旨を逸脱しない範囲内において種々変更を加え得ることは勿論である。
【００３８】
例えばこの実施形態では植毛部２０の横断面形状が三角形のものを例示したが、横断面形状がその他の正多角形、例えば正四角形、正五角形、正六角形又は正八角形でもよい。
【図面の簡単な説明】
【００３９】
【図１】本発明に係るブローブラシを右手でもっている状態の斜視図である。
【図２】本発明に係るブローブラシを用いてブラッシングを行っている状態を説明するための図であってＳ１〜Ｓ４に係る図である。
【図３】本発明に係るブローブラシを用いてブラッシングを行っている状態を説明するための図であってＳ５〜Ｓ８に係る図である。
【図４】本発明に係るブローブラシを用いてブラッシングを行っている状態を説明するための図であってＳ９〜Ｓ１２に係る図である。
【図５】本発明に係るブローブラシを用いブラッシングを行う場合の作業手順を示すフローチャートである。
【符号の説明】
【００４０】
１ ブローブラシ
Ａ，Ｂ，Ｃ 頂点
５ ブラシ毛
２０ 植毛部
２２  植毛面
２６ ドライヤー
２８ 髪
４０ 把持部
【図１】
2007029424.tif 000003
【図２】
2007029424.tif 000004
【図３】
2007029424.tif 000005
【図４】
2007029424.tif 000006
【図５】
2007029424.tif 000007